(57)【特許請求の範囲】
【請求項１】
地盤、岩盤または砂防ダムに設置固定される砂防ネット；及び
前記地盤、岩盤または砂防ダムの底に挿入固定され、前記砂防ネットの前面を固定支持する固定支柱台を含むが、
前記固定支柱台は、
前記地盤、岩盤または砂防ダムの底面を穿孔すると同時に、前記地盤、岩盤または砂防ダムの底面の内部に挿入される挿入部；
前記挿入部の上段に締結固定されるプレート；及び
前記プレートに締結固定され、前記砂防ネットを連結する支持台；を含み、
前記支持台は、
前記砂防ネットの延長方向に位置し、両側面に長さ方向に一定の間隔離隔するように少なくとも一つ以上貫通孔が形成された支柱；
前記支柱の下段に形成され、前記プレートにボルトで締結固定され、前記支柱が前記プレートに固定されるようにするための締結部；及び
両端の一部が外部に露出されるように前記貫通孔に挿入され、前記支柱に密着した前記砂防ネットとクリップを利用して結束するようにするためのロープ；を含むことを特徴とする砂防ネットの固定支柱台。
【請求項２】
前記挿入部は、
鉄筋状の外周面にねじ山が形成され、前記プレートに締結固定されるロード；及び
前記ロードの下段に締結固定され、前記地盤、岩盤または砂防ダムの底面を穿孔すると同時に、前記ロードが穿孔された部分に固定されるようにするためのビット；を含むことを特徴とする請求項１に記載の砂防ネットの固定支柱台。
【請求項３】
前記プレートは、
前記地盤、岩盤または砂防ダムの底面に密着する水平板；
前記水平板の中間に形成され、前記支持台を固定支持する垂直板；及び
前記垂直板の両側から延びて形成され、前記垂直板と接する部分を基準として外側方向に一定の角度傾くように形成された補強リブ；を含むことを特徴とする請求項１に記載の砂防ネットの固定支柱台。
【請求項４】
請求項１に記載の固定支柱台を用いた砂防ネットの施工方法であって、
互いに取替えできるように交差方向に形成されたワイヤロープで構成された砂防ネットを用意する段階；
地盤、岩盤または砂防ダムの両側に固定されたアンカー部に、前記ワイヤネットの両側が締結固定されるようにする砂防ネットをアンカー部に固定する段階；及び
固定支柱台及び砂防ネットが互いに固定されるように砂防ネットの前方の部分にロープ及びクリップを利用して砂防ネットを固定支柱台に固定する段階；を含むことを特徴とする固定支柱台を用いた砂防ネットの施工方法。
【発明の詳細な説明】
【技術分野】
【０００１】
本発明は、砂防ネットの固定支柱台及び固定支柱台を用いた砂防ネットの施工方法に関するもので、さらに詳しくは地盤、岩盤または砂防ダムの底面に挿入固定される固定支柱台の下段にビットを設置して使用することにより、地盤、岩盤または砂防ダムの底面を穿孔すると同時に、固定支柱台を地盤、岩盤または砂防ダムの底面に挿入して固定されるようにし、固定支柱台及び砂防ネットの着脱が容易であるようにして砂防ネットの取替えが容易で、素早く取替え作業ができるようにする砂防ネットの固定支柱台及び固定支柱台を用いた砂防ネットの施工方法に関する。
【背景技術】
【０００２】
山崩れによる土石の移動を渓流で阻止する最も効果的な方法の一つは砂防ダムである。
【０００３】
このために不透過型のコンクリート砂防ダムが広く用いられており、最近は、スクリーンやスリット形式の透過型の砂防ダムなどが現場で多く施工されている。
【０００４】
また、コンクリート砂防ダムや鋼製砂防ダムの場合には、基礎工事のためにダムのところとその周辺に対して掘削と支障木の除去などのような事前整地作業が必要であり、それによる自然の破壊と工事のコストが発生し、小渓流に設置される人工の構造物による生態系の断絶と景観を損なうなどの問題が提起されている。
【０００５】
従って、砂防ダムの設置による景観を損なうことを最小化して周辺の景色と調和し、施工及び管理が容易な新たな形の砂防ダムに対する必要性が求められている。
【先行技術文献】
【特許文献】
【０００６】
【特許文献１】韓国公開実用新案第２０−２００８−０００３４１６号
【特許文献２】韓国公開特許第１０−２００８−００７６１７５号
【特許文献３】韓国登録特許第１０−１２５０１８５号
【特許文献４】韓国公開特許第１０−２０１１−００４５８２３号
【発明の概要】
【発明が解決しようとする課題】
【０００７】
本発明は、地盤、岩盤または砂防ダムの底面に挿入固定される固定支柱台の下段にビットを設置して使用することにより、地盤、岩盤または砂防ダムの底面を穿孔すると同時に、固定支柱台を地盤、岩盤または砂防ダムの底面に挿入して固定されるようにし、固定支柱台及び砂防ネットの着脱が容易であるようにして砂防ネットの取替えが容易で、素早く取替え作業ができるようにする砂防ネットの固定支柱台を提供することにある。
【０００８】
また、本発明は、固定支柱台を地盤、岩盤または砂防ダムの底面に穿孔すると同時に固定されるように施工することにより、固定支柱台の施工が便利であり、施工時間が短縮するようにする固定支柱台を用いた砂防ネットの施工方法を提供することにある。
【０００９】
本発明が解決しようとする様々な課題は、以上で述べた課題に制限されず、述べられていない他の課題は、下の記載から当業者であれば明確に理解できる。
【課題を解決するための手段】
【００１０】
本発明による砂防ネットの固定支柱台は、地盤、岩盤または砂防ダムに設置固定される砂防ネット；及び前記地盤、岩盤または砂防ダムの底に挿入固定され、前記砂防ネットの前面を固定支持する固定支柱台を含むが、前記固定支柱台は、前記地盤、岩盤または砂防ダムの底面を穿孔すると同時に、前記地盤、岩盤または砂防ダムの底面の内部に挿入される挿入部；前記挿入部の上段に締結固定されるプレート；及び前記プレートに締結固定され、前記砂防ネットを連結する支持台；を含み、前記支持台は、前記砂防ネットの延長方向に位置し、両側面に長さ方向に一定の間隔離隔するように少なくとも一つ以上貫通孔が形成された支柱；前記支柱の下段に形成され、前記プレートにボルトで締結固定され、前記支柱が前記プレートに固定されるようにするための締結部；及び両端の一部が外部に露出されるように前記貫通孔に挿入され、前記支柱に密着した前記砂防ネットとクリップを利用して結束するようにするためのロープ；を含むことができる。
【００１１】
前記挿入部は、鉄筋状の外周面にねじ山が形成され、前記プレートに締結固定されるロード；及び前記ロードの下段に締結固定され、前記地盤、岩盤または砂防ダムの底面を穿孔すると同時に、前記ロードが穿孔された部分に固定されるようにするためのビット；を含むことができる。
【００１２】
前記プレートは、前記地盤、岩盤または砂防ダムの底面に密着する水平板；前記水平板の中間に形成され、前記支持台を固定支持する垂直板；及び前記垂直板の両側から延びて形成され、前記垂直板と接する部分を基準として外側方向に一定の角度傾くように形成された補強リブ；を含むことができる。
【００１３】
前記支持台は、前記砂防ネットの延長方向に位置し、両側面に長さ方向に一定の間隔離隔するように少なくとも一つ以上貫通孔が形成された支柱；前記支柱の下段に形成され、前記プレートにボルトで締結固定され、前記支柱が前記プレートに固定されるようにするための締結部；及び両端の一部が外部に露出されるように前記貫通孔に挿入され、前記支柱に密着した前記砂防ネットとクリップを利用して結束するようにするためのロープ；を含むことができる。
【００１４】
また、本発明による固定支柱台を用いた砂防ネットの施工方法は、請求項１の記載による固定支柱台を用いた砂防ネットの施工方法であって、互いに取替えできるように交差方向に形成されたワイヤロープで構成された砂防ネットを用意する段階；地盤、岩盤または砂防ダムの両側に固定されたアンカー部に、前記ワイヤネットの両側が締結固定されるようにする砂防ネットをアンカー部に固定する段階；及び固定支柱台及び砂防ネットが互いに固定されるように砂防ネットの前方の部分にロープ及びクリップを利用して砂防ネットを固定支柱台に固定する段階；を含むことができる。
【００１５】
その他の実施例の具体的な事項は、詳細な説明及び図面に含まれている。
【発明の効果】
【００１６】
本発明による砂防ネットの固定支柱台は、地盤、岩盤または砂防ダムの底面に挿入固定される固定支柱台の下段にビットを設置して使用することにより、地盤、岩盤または砂防ダムの底面を穿孔すると同時に、固定支柱台を地盤、岩盤または砂防ダムの底面に挿入して固定されるようにし、固定支柱台及び砂防ネットの着脱が容易であるようにして、砂防ネットの取替えが容易で、素早く取替え作業ができるようにするという効果がある。
【００１７】
また、本発明による固定支柱台を用いた砂防ネットの施工方法は、固定支柱台を地盤、岩盤または砂防ダムの底面に穿孔すると同時に、固定されるように施工することにより、固定支柱台の施工が便利であり、施工時間が短縮するようにするという効果がある。
【００１８】
本発明の技術的思想の実施例は、具体的に述べられていない様々な効果を提供することができるということが十分理解できる。
【図面の簡単な説明】
【００１９】
【図１】本発明による固定支柱台の分解斜視図である。
【図２】本発明による固定支柱台の結合斜視図である。
【図３】本発明による固定支柱台の正面図である。
【図４】本発明による固定支柱台の側面図である。
【図５】本発明による固定支柱台が砂防ダムに設置された状態を示した図面である。
【図６】図５の“Ａ”部分を拡大して示した図面である。
【発明を実施するための内容】
【００２０】
本発明の利点及び特徴、またそれらを達成する方法は、添付の図面とともに詳しく後述している実施例を参照すると明確になる。しかしながら、本発明は、ここで説明する実施例に限定されず、他の形態で具体化されることもできる。あえて、ここで紹介する実施例は、開示された内容が徹底且つ完全になるように、そして当業者に本発明の思想が十分伝達されるようにするために提供されるものである。図面において、層及び領域の厚さは、明確性を期するために誇張されたものである。
【００２１】
第１、第２などの用語は、様々な構成要素を説明するにおいて使用され得るが、前記構成要素は、前記用語によって限定されるものではない。前記用語は、一つの構成要素を他の構成要素から区別するための目的として使用される。例えば、本発明の権利範囲を逸脱することなく、第１構成要素は第２構成要素と命名されることができ、同様に第２構成要素は第１構成要素と命名されることができる。
【００２２】
上段、下段、上面、下面、または上部、下部などの用語は、構成要素において相対的な位置を区別するために使用されたものである。例えば、便宜上、図面上の上側を上部、図面上の下側を下部と命名する場合、実際においては本発明の権利範囲を逸脱することなく、上部は下部と命名されることができ、下部は上部と命名されることができる。
【００２３】
本出願において使用した用語は、単に特定の実施例を説明するために使用されたもので、本発明を限定しようとするものではない。単数の表現は、文脈上明確に異なる意味でない限り、複数の表現を含む。本出願において、“含む”または“有する”などの用語は、明細書上に記載された特徴、数字、段階、動作、構成要素、部分品またはこれらを組み合わせたものが存在することを指定しようとするものであって、一つまたはそれ以上の他の特徴や数字、段階、動作、構成要素、部分品またはこれらを組み合わせたものの存在または付加可能性を予め排除するものではないと理解されるべきである。
【００２４】
他に定義されない限り、技術的或いは科学的な用語を含んでここで使用されるすべての用語は、本発明が属する技術分野において通常の知識を有する者によって一般的に理解されるものと同様の意味がある。一般的に使用される辞書に定義されているのと同じ用語は、関連技術の文脈上有する意味と一致する意味があると解釈されるべきであり、本出願において明確に定義されていない限り、理想的あるいは過度に形式的な意味として解釈されてはならない。
【００２５】
以下、添付の図面を参照して、本発明による砂防ネットの固定支柱台に対する好ましい実施例を詳しく説明する。
【００２６】
図１は、本発明による固定支柱台の分解斜視図であり、図２は、本発明による固定支柱台の結合斜視図であり、図３は、本発明による固定支柱台の正面図であり、図４は、本発明による固定支柱台の側面図であり、図５は、本発明による固定支柱台が砂防ダムに設置された状態を示した図面であり、図６は、図５の“Ａ”部分を拡大して示した図面である。
【００２７】
図１乃至図６を参照すると、本発明による地盤、岩盤または砂防ダムに設置固定される砂防ネットの固定支柱台１００は、砂防ダム１０の両側に備えられたアンカー部３０に両側が固定支持される砂防ネット２０の前面部分を固定支持するためのものであって、砂防ダム１０の流速によって移動する土石などを砂防ネット２０によって移動することを制限し、砂防ネット２０に土石が最大値に到達できるまで支持するようにするために備えられることができる。また、砂防ネットの固定支柱台１００は、砂防ネット２０の左、右側に一定間隔に離隔するように、少なくとも一つ以上備えられることができる。本発明による砂防ネットの固定支柱台１００は、挿入部１１０、プレート１２０、支持台１３０及びロープ１４０を含むことができる。
【００２８】
挿入部１１０は、砂防ダム１０の底面に挿入固定され、砂防ダム１０の底面に固定されるプレート１２０を支持するために備えられることができる。挿入部１１０は、鉄筋状の外周面にねじ山が形成されたロード１１１と、ロード１１１の下段に溶接などで締結固定されるビット１１２とを含むことができる。また、挿入部１１０は、互いに一定の距離離隔するように一対からなることができる。
【００２９】
前記のような挿入部１１０を砂防ダム１０の底面に挿入して使用すると、従来に使用されるアンカーボルト、全ねじボルトまたは支柱台よりもさらに頑固に固定することができ、特に、従来には砂防ダム１０の底面を穿孔した後、穿孔された部分にアンカーボルト、全ねじボルトまたは支柱台を打ち込んで使用したが、本発明では、従来の二重作業を一度に作業できるように、ロード１１１の下段にビット１１２を締結して使用する。
【００３０】
例えば、一定の長さを有するロード１１１の下段にビット１１２を締結した後、電動工具（未図示）にロード１１１を取り付けた状態で電動工具を作動させると、ロード１１１の下段に締結されたビット１１２が回転しながら砂防ダム１０の底面を通して内部に挿入するが、この際に、ロード１１１が一定の深さで挿入されるとロード１１１の上段に固定ナット１１３を用いてプレート１２０が固定されるようにする。
【００３１】
すなわち、従来には別途の穿孔装置を用いて砂防ダム１０の底面を穿孔した後、再びアンカーボルト、全ねじボルトまたは支柱台を挿入したが、このような方法で使用すると、流れ水によってアンカーボルト、全ねじボルトまたは支柱台が穿孔された部分を見つけることが難しいという問題などがあり、本発明では、このような問題点を解決すべく、砂防ダム１０の底面を穿孔すると同時に、ロード１１１が砂防ダム１０の底に挿入されるようにしてさらに頑固に固定されるようにする。
【００３２】
プレート１２０は、砂防ダム１０の底面に位置し、砂防ダム１０の底面の外部に露出された挿入部１１０の上段に固定ナット１１３で締結固定され、支持台１３０を固定支持するために備えられることができる。プレート１２０は、砂防ダム１０の底面に密着する水平板１２１と、水平板１２１の中間に形成された垂直板１２２と、垂直板１２２の両側から延びて形成された補強リブ１２３とで構成されることができる。
【００３３】
垂直板１２２は、支持台１３０の下段が挿入されるように、互いに一定の距離離隔するように一対からなり、補強リブ１２３は、垂直板１２２の両側から延びて垂直板１２２と接する部分を基準として外側方向に一定の角度傾くように形成されることができる。
【００３４】
前記のような補強リブ１２３を外側方向に一定の角度傾くように形成して使用すると、垂直板１２２の剛性をさらに向上できるという長所がある。
【００３５】
また、水平板１２１の底面の両側には挿入部１１０が挿入されるように挿入ホール１２４が形成され、垂直板１２２の前面には、ボルト１２５が挿入される締結孔１２２ａが形成されることができる。
【００３６】
一方、水平板１２１に形成された挿入ホール１２４は、水平板１２１の外側枠の部分から内側方向に一定の距離離隔された状態で形成された状態で、挿入ホール１２４と接する水平板１２１の外側枠の一部分が切開して形成されることができる。
【００３７】
すなわち、挿入ホール１２４の外側が開放されるように形成し、挿入部１１０が容易かつ便利に挿入されるようにする。
【００３８】
例えば、水平板１２１に形成された挿入ホール１２４の位置が一対からなる挿入部１１０と同じ位置から外れる場合、外側が開放された部分に位置調節できるようにする。
【００３９】
支持台１３０は、プレート１２０に形成された垂直板１２２の間にボルト１２５で締結固定され、アンカー部３０によって砂防ダム１０の両側に固定された砂防ネット２０の前面部分を支持するために備えられることができる。支持台１３０は、一定の長さを有する支柱１３１と、支柱１３１の両側面に長さ方向に一定の間隔離隔するように少なくとも一つ以上形成された貫通孔１３２と、支柱１３１の下段に形成された締結部１３３とを含むことができる。
【００４０】
また、締結部１３３の側面には、貫通された長孔１３３ａが形成され、長孔１３３ａによって支持台１３０の高低を調節することができる。
【００４１】
すなわち、支柱１３１に形成された貫通孔１３２にロープ１４０を用いて砂防ネット２０に締結されることができるが、この際、支柱１３１に形成された貫通孔１３２がロープ１４０に位置するようにする。
【００４２】
例えば、ワイヤロープが交差方向または直角形状からなる砂防ネット２０の延長方向に位置するように配置した後、締結部１３３に形成された長孔１３３ａが垂直板１２２に形成された締結孔１２２ａに位置されるようにするが、この際、支柱１３１に形成された貫通孔１３２が砂防ネット２０を成すワイヤロープに位置するようにする。また、ボルト１２５を用いて締結孔１２２ａに挿入した後、長孔１３３ａを通って反対側の締結孔１２２ａに貫通してナットなどで締結する。
【００４３】
ロープ１４０は、両端の一部が外部に露出するように支柱１３１に形成された貫通孔１３２に挿入した後、貫通孔１３２と近接するか、支柱１３１に密着した砂防ネット２０のワイヤロープ及びクリップ１４１を利用して結束することができる。すなわち、ロープ１４０を用いて砂防ネット２０が支持台１３０に固定されるようにする。
【００４４】
一方、クリップ１４１は、支持台１３０に固定された砂防ネット２０が着脱可能なクリップ１４１を使用することが好ましい。すなわち、砂防ネット２０の破損で砂防ネット２０を取替える際に、クリップ１４１を容易に除去した後、新たな砂防ネット２０が容易に付着できるようにする。
【００４５】
以下、添付の図面を参照して本発明による固定支柱台を用いた砂防ネットの施工方法について説明する。
【００４６】
図１乃至図６を参照すると、本発明による固定支柱台を用いた砂防ネットの施工方法は、砂防ネット２０を用意する段階、アンカー部３０を砂防ダム１０の両側に締結する段階、固定支柱台１００を砂防ダムの下部に締結する段階、砂防ネット２０をアンカー部３０に固定する段階、及び砂防ネット２０を固定支柱台１００に固定する段階を含むことができる。
【００４７】
砂防ネット２０を用意する段階は、流速によって土石などの移動を制限するために互いに取替えできるように交差方向に形成されたワイヤロープで構成された砂防ネット２０を別途に用意する。
【００４８】
アンカー部３０を砂防ダム１０の両側に設置する段階は、砂防ダム１０の両側に穿孔された部分にアンカー部３０を挿入した後、セメントを注入してセメントが硬化するようにした後、アンカー部３０が固定するようにする段階である。
【００４９】
固定支柱台１００を砂防ダム１０の下部に設置する段階は、固定支柱台１００の下部の一部を砂防ダム１０の底面に挿入し、挿入された部分を除いた残りの部分が上部に突出するように固定し、砂防ネット２０の左、右側に少なくとも一つ以上設置する段階である。
【００５０】
砂防ネット２０をアンカー部３０に固定する段階は、砂防ネット２０の両側を固定する段階であって、砂防ネット２０が砂防ダム１０に固定され、土石などによって加わる圧力が分散するように固定する段階である。
【００５１】
砂防ネット２０を固定支柱台１００に固定する段階は、砂防ネット２０の左、右側に一定の間隔離隔するように少なくとも一つ以上形成された固定支柱台１００と砂防ネット２０が互いに固定されるように、砂防ネット２０の前面部分にロープ１４０及びクリップ１４１を利用して固定する段階である。
【００５２】
以上、添付の図面を参照して本発明の好ましい一実施例を説明したが、本発明が属する技術分野において通常の知識を有する者であれば、本発明がその技術的思想や必須的な特徴を変更することなく、他の具体的な形態で実施できるということを理解することができる。従って、以上で述べた一実施例は、全ての面において例示的なものであり、限定的なものではないと理解すべきである。
【符号の説明】
【００５３】
１０；砂防ダム                                 ２０；砂防ネット
３０；アンカー部                               １００；固定支柱台
１１０；挿入部                                 １１１；ロード
１１２；ビット                                 １１３；固定ナット
１２０；プレート                               １２１；水平板
１２２；垂直板                                 １２２a；締結孔
１２３；補強リブ                               １２４；挿入ホール
１２５；ボルト                                 １３０；支持台
１３１；支柱                                   １３２；貫通孔
１３３；締結部                                 １３３a；長孔
１４０；ロープ                                 １４１；クリップ
【図１】
0006405562.tif 000002
【図２】
0006405562.tif 000003
【図３】
0006405562.tif 000004
【図４】
0006405562.tif 000005
【図５】
0006405562.tif 000006
【図６】
0006405562.tif 000007